(57)【要約】【課題】部品数を減らし、照明装置のコンパクト化および施工の簡単化を図ることができる照明器具を提供する。【解決手段】照明負荷２、この照明負荷２に動作電源を供給するとともに照明負荷２の点灯状態を制御する電源制御部３と、人の存否を検知する人体センサ部および周囲の照度を検知する照度センサ部を有する検知部４と、照明負荷２、電源制御部３および検知部４を取付けた器具本体１とを備え、電源制御部３は、照度センサ部による照度が所定のレベルよりも暗い場合において、通常モードのとき人体センサ部が人を検知すると高輝度点灯し、ほんのり点灯モードのとき人体センサ部が人を検知すると高輝度よりも低い輝度で調光点灯するように制御する。【選択図】  図１
2004171805.tif 000002
【特許請求の範囲】
【請求項１】
照明負荷と、この照明負荷に動作電源を供給するとともに前記照明負荷の点灯状態を制御する電源制御部と、人の存否を検知する人体センサ部および周囲の照度を検知する照度センサ部を有する検知部と、前記照明負荷、前記電源制御部および前記検知部を取付けた器具本体とを備え、
前記電源制御部は、前記照度センサ部による照度が所定のレベルよりも暗い場合において、通常モードのとき前記人体センサ部が人を検知すると高輝度点灯し、ほんのり点灯モードのとき前記人体センサ部が人を検知すると前記高輝度よりも低い輝度で調光点灯するように制御することを特徴とする照明器具。
【請求項２】
前記ほんのり点灯モードの継続時間の設定部が前記器具本体に設けられている請求項１記載の照明器具。
【請求項３】
前記電源制御部は、前記ほんのり点灯モードの継続時間を設定したときから前記ほんのり点灯モードを開始させ、かつ毎日同じ時刻に前記ほんのり点灯モードを開始させるためのタイマを有する請求項２記載の照明器具。
【請求項４】
前記ほんのり点灯モードの開始時刻を記憶するための電池が前記器具本体に内蔵されている請求項３記載の照明器具。
【請求項５】
前記設定部は、前記ほんのり点灯モードの継続時間の設定が２種類選択できる設定スイッチを有し、前記設定スイッチは設定の変更時に必ずリセットになるよう２種類の時間選択の間に「切」を設けた３段切替えになっている請求項４記載の照明器具。
【請求項６】
前記照明負荷と連動して人体検出により動作する他の負荷用端子を前記器具本体に設けた請求項４または請求項５記載の照明器具。
【請求項７】
前記電源制御部は前記他の負荷が、周囲の照度レベルに関係なく、人体検出により電源を供給されるように制御する請求項６記載の照明器具。
【請求項８】
前記電源制御部は、前記他の負荷への電源供給が、人体検出がなくなり、照明消灯後一定時間が経過してから停止されるように制御する請求項７記載の照明器具。
【請求項９】
スイッチを有し、前記スイッチをオフ後数秒以内にオンにすることで、前記電源制御部は、人体検出に関係なく、前記他の負荷へ連続して電源が供給されるように制御する請求項８記載の照明器具。
【請求項１０】
表示灯を有し、前記電源制御部は、人体検出に関係なく、前記他の負荷へ連続して電源が供給されている場合の状態表示として、前記表示灯を点灯させる請求項９記載の照明器具。
【請求項１１】
前記器具本体の片側に遮光部を設けた請求項１０記載の照明器具。
【請求項１２】
前記検知部のプリント基板と前記電源制御部のプリント基板とを分離し、各プリント基板がＬ字をなすように配置された請求項１０または請求項１１記載の照明器具。
【発明の詳細な説明】
【０００１】
【発明の属する技術分野】
この発明は、ほんのり点灯モード機能の付いた照明器具に関するものである。
【０００２】
【従来の技術】
従来、周囲の照度および人体の動きを検知する検知手段を有して、暗い場所などで人を検知すると点灯する照明装置があった（特許文献参照）。
【０００３】
しかし、１００％の高輝度点灯にされると、夜間にトイレに行く場合などに覚醒してしまうという課題があった。
【０００４】
これに対して、人体センサ部と人体検出信号を送信する送信部を有したセンサ付リモコン送信器と、リモコン受信部を内蔵した照明器具で構成され、夜間トイレに入っても眩しくない調光点灯ができるようにしたものが考えられた。そして送信器でほんのり点灯モードの開始時間を設定している。
【０００５】
【特許文献】
実開平５−５９７９８号
【０００６】
【発明が解決しようとする課題】
しかしながら、リモコン送信器と照明器具の２部品となるため、部品数が増加し、またトイレ等への施工が煩雑になるという欠点があった。
【０００７】
したがって、この発明の目的は、部品数を減らし、照明装置のコンパクト化および施工の簡単化を図ることができる照明器具を提供することである。
【０００８】
【課題を解決するための手段】
請求項１記載の照明器具は、照明負荷と、この照明負荷に動作電源を供給するとともに前記照明負荷の点灯状態を制御する電源制御部と、人の存否を検知する人体センサ部および周囲の照度を検知する照度センサ部を有する検知部と、前記照明負荷、前記電源制御部および前記検知部を取付けた器具本体とを備え、
前記電源制御部は、前記照度センサ部による照度が所定のレベルよりも暗い場合において、通常モードのとき前記人体センサ部が人を検知すると高輝度点灯し、ほんのり点灯モードのとき前記人体センサ部が人を検知すると前記高輝度よりも低い輝度で調光点灯するように制御することを特徴とするものである。
【０００９】
請求項１記載の照明器具によれば、通常モードでは人体検知により自動的に高輝度点灯し、ほんのり点灯モードにすると人体検知により明るさを抑えた点灯となるので、例えば深夜トイレに行くときなどに覚醒させない効果があり、特に高齢者など夜間よくトイレに行かれる方に便利な機能となる。またほんのり点灯モードを構成する検知部および電源制御部を器具本体に内蔵することにより照明装置を構成する構造体のコンパクト化が図れ、部品数が減り、施工容易になる。
【００１０】
請求項２記載の照明器具は、請求項１において、前記ほんのり点灯モードの継続時間の設定部が前記器具本体に設けらているものである。
【００１１】
請求項２記載の照明器具によれば、請求項１と同様な効果がある。
【００１２】
請求項３記載の照明器具は、請求項２において、前記電源制御部が、前記ほんのり点灯モードの継続時間を設定したときから前記ほんのり点灯モードを開始させ、かつ毎日同じ時刻に前記ほんのり点灯モードを開始させるためのタイマを有するものである。
【００１３】
請求項３記載の照明器具によれば、継続時間を設定したときから継続時間を開始することによりスイッチ数を減らすことができ、コンパクト化が図れるとともに、タイマにより毎日同じ時刻にほんのり点灯モードを開始させるので、ほんのり点灯モードを一度設定すれば時間を変更しない限り再設定不要となる。
【００１４】
請求項４記載の照明器具は、請求項３において、前記ほんのり点灯モードの開始時刻を記憶するための電池が前記器具本体に内蔵されているものである。
【００１５】
請求項４記載の照明器具によれば、請求項３と同様な効果のほか、電源が遮断されても、ほんのり点灯モードの開始時刻がリセットされずに保持することができる。
【００１６】
請求項５記載の照明器具は、請求項４において、前記設定部が、前記ほんのり点灯モードの継続時間の設定が２種類選択できる設定スイッチを有し、前記設定スイッチは設定の変更時に必ずリセットになるよう２種類の時間選択の間に「切」を設けた３段切替えになっているものである。
【００１７】
請求項５記載の照明器具によれば、請求項４と同様な効果のほか、継続時間を好みに合わせて調整でき、しかも継続時間の設定の選択操作が容易になる。
【００１８】
請求項６記載の照明器具は、請求項４または請求項５において、前記照明負荷と連動して人体検出により動作する他の負荷用端子を器具本体に設けたものである。
【００１９】
請求項６記載の照明器具によれば、請求項４または請求項５と同様な効果のほか、他の負荷用端子に例えば換気扇を接続すると自動でトイレの換気機能を満足でき、換気扇との連動が可能になることにより、照明だけでなく換気扇のスイッチ操作も不要となるので、便利で清潔になる。
【００２０】
請求項７記載の照明器具は、請求項６において、前記電源制御部が前記他の負荷が、周囲の照度レベルに関係なく、人体検出により電源を供給されるように制御するものである。
【００２１】
請求項７記載の照明器具によれば、請求項６と同様な効果のほか、照度レベルが明るいレベルになっても例えば換気扇が動かなくなることがない。
【００２２】
請求項８記載の照明器具は、請求項７において、前記電源制御部が、前記他の負荷への電源供給が、人体検出がなくなり、照明消灯後一定時間が経過してから停止されるように制御するものである。
【００２３】
請求項８記載の照明器具によれば、請求項７と同様な効果のほか、例えば換気扇は照明に遅れて停止するので十分換気することができ、空気をいつもきれいに保つことができる。
【００２４】
請求項９記載の照明器具は、請求項８において、スイッチを有し、前記スイッチをオフ後数秒以内にオンにすることで、前記電源制御部は、人体検出に関係なく、前記他の負荷へ連続して電源が供給されるように制御するものである。
【００２５】
請求項９記載の照明器具によれば、請求項８と同様な効果のほか、例えば壁スイッチをオフ後２秒以内にオンにすることで、換気扇が連続動作になるので、通常の使い方が可能となりいつでも必要な換気が十分に行える。
【００２６】
請求項１０記載の照明器具は、請求項９において、表示灯を有し、前記電源制御部は、人体検出に関係なく、前記他の負荷へ連続して電源が供給されている場合の状態表示として、前記表示灯を点灯させるものである。
【００２７】
請求項１０記載の照明器具によれば、請求項９と同様な効果のほか、表示灯例えばＬＥＤが点灯することにより換気扇が連続動作していることの状態確認が可能となる。
【００２８】
請求項１１記載の照明器具は、請求項１０において、前記器具本体の片側に遮光部を設けたものである。
【００２９】
請求項１１記載の照明器具によれば、請求項１０と同様な効果のほか、遮光した部分をトレイの入り口方向に向けて取り付けることで遮光効果が得られ、光が直接目に入らず、眩しさを和らげる。
【００３０】
請求項１２記載の照明器具は、請求項１０または請求項１１において、前記検知部のプリント基板と前記電源制御部のプリント基板とを分離し、各プリント基板がＬ字をなすように配置されたものである。
【００３１】
請求項１２記載の照明器具によれば、請求項１０または請求項１１と同様な効果のほか、検知部のコンパクト化が図れ小型化でき、器具サイズをコンパクトにすることにより、トイレの天井に取付けても大きく感じさせることがない。
【００３２】
【発明の実施の形態】
この発明の第１の実施の形態の図１から図６に基づいて説明する。図１は回路構成を示す。器具本体１と、照明負荷２と、電源制御部３と、検知部４と、他の負荷例えば換気扇５を備えている。６は商用電源である。
【００３３】
器具本体１は、照明負荷２、電源制御部３および検知部４を取付けている。
【００３４】
照明負荷２は、例えば通常の白熱ランプ型ランプを用いている。
【００３５】
電源制御部３は、照明負荷２に動作電源を供給するとともに照明負荷２の点灯状態を制御する。
【００３６】
検知部４は、人の存否を検知する人体センサ部および周囲の照度を検知する照度センサ部を有する。実施の形態では、検知部４の人体センサ部と照度センサ部はプリント基板に一体に設けられている。
【００３７】
図１の回路構成は、検知部４の検知信号を検知部４の設定状態に基づいて、電源制御部３で判断し、照明負荷２および換気扇５に電源電力を供給する。この場合、電源制御部３による制御の１つとして、照度センサ部による照度が所定のレベルよりも暗い場合において、通常モードのとき人体センサ部が人を検知すると照明負荷２を高輝度点灯し、ほんのり点灯モードのとき人体センサ部が人を検知すると照明負荷２を高輝度よりも低い輝度で調光点灯するように制御する。
【００３８】
図２は、本発明の照明器具の施工例であり、トイレ９の入口側を遮光できるように器具本体１の遮光部を入り口に向けてトイレの奥側を照明するように天井に施工するのが好ましい。図１の配線図に示すように、器具本体１の電源制御部３で換気扇５の制御も行い、必要に応じて換気扇５に電源を供給する方式となっている。換気扇５への配線は複雑な３線配線等が不要で、２線配線で接続可能である。７は電源用の壁スイッチであり、器具本体１およびその換気扇５への電源を入切する。ここで、換気扇５は、壁スイッチ７がオフのときは停止しており、壁スイッチ７をオフから数秒例えば２秒以内にオンに操作すると、人体検出に関係なく連続動作でき、壁スイッチ７をオフ後２秒以上経過してから再びオンさせた場合はセンサ動作により制御される。この場合、電源制御部３は換気扇５が、周囲の照度レベルに関係なく、人体検出により電源を供給されるように制御する。また換気扇５への電源供給を、人体検出がなくなり、照明消灯後一定時間が経過してから停止されるように制御している。
【００３９】
図３は、器具本体１の構成を示している。すなわち器具本体１が高さの低い略円筒部１ａと、この略円筒部１ａの周面の略半円周に被さるように取付けられた背の高い略半円筒部１ｂとからなっており、略半円筒部１ｂが遮光部を兼ねている。略円筒部１ａの下面には略半円筒部１ｂから外側に出た部分にランプソケット１０を内蔵し、略円筒部１ａの下面から垂下するように照明負荷１すなわちランプを装着し、略半円筒部１ｂの下端部はランプよりも下に位置している。略半円筒部１ｂの下部すなわちランプの側部に検知部４および設定部１４を含めたセンサユニット１１を配置し、電源用端子１２と他の負荷用端子（換気扇連動用）１３を内蔵した器具構成となっている。センサユニット１１はできるだけコンパクトにするため、図３（ｅ）に示すように検知部４と電源制御部３の各プリント基板４ａ、３ａは面が直交する立体的なＬ字配置となっている。検知部４は器具本体１の略半円筒部１ｂの下端部の中央に位置している。
【００４０】
検知部４の設定部１４は上記したように、器具本体１の略半円筒部１ｂの下端部の検知部４の周囲に設けられ、そのうちほんのり点灯モードの継続時間の設定部１４ａは、ほんのり点灯モードの継続時間の設定が２種類選択できる設定スイッチを有し、この設定スイッチは設定の変更時に必ず一旦リセットになるよう２種類の時間選択の間に「切」を設けた３段切替えになっており、その調整つまみ１６を外面に露出している。さらに、この調整つまみ１６は５時間と８時間の切替により継続時間の調整ができ、電源制御部３により、ほんのり点灯モードの継続時間を設定したときからほんのり点灯モードを開始させ、かつタイマを設けて一度調整すると毎日同じ時刻にほんのり点灯モードを開始させている。開始時間およびほんのり点灯モードの継続時間を変更するときは、翌日以降のほんのり点灯モードを開始したい時刻に行うようにしている。
【００４１】
ほんのり点灯モード継続時間の設定スイッチの調整つまみ１６の他に、検知部４の設定部１４には、点灯保持時間調整部の調整つまみ１７、点灯する周囲の明るさの調整部の調整つまみ１８、換気扇の連続運転表示灯１９を有する。点灯保持時間調整つまみ１７は人体の検出がなくなってからの点灯時間例えば３０秒、１分、２分、６分などの調整を行う。点灯する周囲の明るさ調整部の調整つまみ１８は器具が点灯するときの周囲の明るさレベルの調整が行える。換気扇連続運転表示灯１９は換気扇の連続動作時に点灯する。なお、ほんのり点灯モードの開始時刻等の各設定状態を記憶するための電池が器具本体１に内蔵されており、各設定状態は壁スイッチ７を切られても電池により設定状態を記憶しているので再設定不要である。表示灯１９は、電源制御部３により人体検出に関係なく、他の負荷へ連続して電源が供給されている場合に点灯する状態表示として用いられる。
【００４２】
図４は、通常モードおよびほんのり点灯モードすなわち深夜モードでの照明負荷２および換気扇５の動作を示す。図４（ａ）は通常モードの場合であり、照度センサ部で検出する周囲の照度が所定のレベルより暗い場合、人体センサ部の検知動作に連動して照明負荷２が点灯を開始し立上り（立上りフェードは約０．６秒）を示した後、通常の１００％の高輝度点灯を行い、設定された点灯保持時間点灯状態を継続し、継続時間終了前例えば約５．５秒間（立ち下がり時間を除くと実質３秒程度）消灯お知らせのため調光比３０％で調光する。換気扇５は人体センサ部の検知動作に連動して動作を開始し照明負荷２の消灯後約５分程度遅延して消灯する。周囲の照度が所定のレベルよりも明るい場合は、照明負荷２は点灯しないが、換気扇は上記と同じ動作を行う。
【００４３】
図４（ｂ）は深夜モードの場合である。この場合通常モードと比較して、照明負荷２は１００％よりも低い調光比１５％で調光し、調光比８％で消灯お知らせ調光をする点が異なる。
【００４４】
図５は深夜モードの設定の動作を示す。図５（ａ）は深夜モード操作スイッチの調整つまみ１６を切から５時間オンに切り替えた状態である。
この場合、通常モードの状態から、切り替えた時点Ｔから５時間が深夜モードとなり、同時にタイマにより２４時間カウントを行い５時間後の残りの時間は通常モードとなる。したがって、一度設定すると切替時点Ｔから２４時間後再び５時間は深夜モードとなり、毎日同じ時刻にほんのり点灯モードが開始する。
【００４５】
図５（ｂ）は調整つまみ１６を切りから８時間オンに切り替えた状態であり、図５（ａ）とは５時間から８時間に変わるのみで他は同じ動作となる。
【００４６】
図６は、図５（ａ）または図５（ｂ）の深夜モードの設定状態から設定を解除したときの動作を示す。図６は任意の時間例えば通常モードから深夜モード５時間または８時間が経過したのち再び通常モードとなり、しかも深夜モード開始から２４時間が経過前の状態Ｔａに設定スイッチの調整つまみ１６を切にして設定を解除した例である。この場合、上記したように解除した時点から通常モードを先の２４時間が経過後も継続する。
【００４７】
【発明の効果】
請求項１記載の照明器具によれば、通常モードでは人体検知により自動的に高輝度点灯し、ほんのり点灯モードにすると人体検知により明るさを抑えた点灯となるので、例えば深夜トイレに行くときなどに覚醒させない効果があり、特に高齢者など夜間よくトイレに行かれる方に便利な機能となる。またほんのり点灯モードを構成する検知部および電源制御部を器具本体に内蔵することにより照明装置を構成する構造体のコンパクト化が図れ、部品数が減り、施工容易になる。
【００４８】
請求項２記載の照明器具によれば、請求項１と同様な効果がある。
【００４９】
請求項３記載の照明器具によれば、継続時間を設定したときから継続時間を開始することによりスイッチ数を減らすことができ、コンパクト化が図れるとともに、タイマにより毎日同じ時刻にほんのり点灯モードを開始させるので、ほんのり点灯モードを一度設定すれば時間を変更しない限り再設定不要となる。
【００５０】
請求項４記載の照明器具によれば、請求項３と同様な効果のほか、電源が遮断されても、ほんのり点灯モードの開始時刻がリセットされずに保持することができる。
【００５１】
請求項５記載の照明器具によれば、請求項４と同様な効果のほか、継続時間を好みに合わせて調整でき、しかも継続時間の設定の選択操作が容易になる。
【００５２】
請求項６記載の照明器具によれば、請求項４または請求項５と同様な効果のほか、他の負荷用端子に例えば換気扇を接続すると自動でトイレの換気機能を満足でき、換気扇との連動が可能になることにより、照明だけでなく換気扇のスイッチ操作も不要となるので、便利で清潔になる。
【００５３】
請求項７記載の照明器具によれば、請求項６と同様な効果のほか、照度レベルが明るいレベルになっても例えば換気扇が動かなくなることがない。
【００５４】
請求項８記載の照明器具によれば、請求項７と同様な効果のほか、例えば換気扇は照明に遅れて停止するので十分換気することができ、空気をいつもきれいに保つことができる。
【００５５】
請求項９記載の照明器具によれば、請求項８と同様な効果のほか、例えば壁スイッチをオフ後２秒以内にオンにすることで、換気扇が連続動作になるので、通常の使い方が可能となりいつでも必要な換気が十分に行える。
【００５６】
請求項１０記載の照明器具によれば、請求項９と同様な効果のほか、表示灯例えばＬＥＤが点灯することにより換気扇が連続動作していることの状態確認が可能となる。
【００５７】
請求項１１記載の照明器具によれば、請求項１０と同様な効果のほか、遮光した部分をトレイの入り口方向に向けて取り付けることで遮光効果が得られ、光が直接目に入らず、眩しさを和らげる。
【００５８】
請求項１２記載の照明器具によれば、請求項１０または請求項１１と同様な効果のほか、検知部のコンパクト化が図れ小型化でき、器具サイズをコンパクトにすることにより、トイレの天井に取付けても大きく感じさせることがない。
【図面の簡単な説明】
【図１】この発明の一実施の形態を示す回路ブロック図である。
【図２】そのトイレの内部の斜視図である。
【図３】器具本体を示し、（ａ）は外観斜視図、（ｂ）は概略底面図、（ｃ）は概略側面図、（ｄ）は概略正面図スイッチング、（ｅ）は検知部のプリント基板の配置図、（ｆ）は検知部の拡大底面図である。
【図４】照明負荷および換気扇負荷のタイムチャートであり、（ａ）は通常モードの場合、（ｂ）は深夜モードの場合である。
【図５】深夜モードを設定したときのモードの説明図であり、（ａ）は５時間の深夜モードの場合、（ｂ）は８時間の深夜モードの場合である。
【図６】深夜モードの設定を解除したときのモードの説明図である。
【符号の説明】
１    器具本体
１ｂ    略半円筒部
２    照明負荷
３    電源制御部
４    検知部
５    換気扇
７    壁スイッチ
１４    設定部
１４ａ    継続時間の設定部
１６    調整つまみ
１９    表示灯
【図１】
2004171805.tif 000003
【図２】
2004171805.tif 000004
【図３】
2004171805.tif 000005
【図４】
2004171805.tif 000006
【図５】
2004171805.tif 000007
【図６】
2004171805.tif 000008